(57)【要約】【課題】暗所で、収納家具に設けられた蓄光材の光を利用して、収納家具の位置が確認できるが、収納されている物品を確認して取り出すことができない。また、収納されている物を取り出すには、部屋の電灯をつけなければならず、夜中に、暗闇から突然電灯のついた状態になることによって、目がまぶしく数分間はっきりものが見えないことや、眠気が覚めてしまうことがあった。【解決手段】棚板が設けられた収納家具であって、左右端部が支持された透光性棚板を有しており、透光性棚板の前方木口面を除いた少なくとも１つの木口面に蓄光材が配置されていることを特徴とする。【選択図】図１
2012034905.tif 000002
【特許請求の範囲】
【請求項１】
棚板が設けられた収納家具であって、左右端部が支持された透光性棚板を有しており、透光性棚板の前方木口面を除いた少なくとも１つの木口面に蓄光材が配置されている収納家具。
【請求項２】
透光性棚板が嵌入する嵌入溝を備えた棚板受材が背板に取り付けられている請求項１の収納家具。
【請求項３】
ベッドサイドに設置され、透光性棚板上面における高さ方向位置が、床面から１２３ｃｍ以下の範囲に位置し、透光性棚板の反ベッド側木口面における横方向位置が、収納家具側のベッド側面から７８ｃｍ以下の範囲に位置するように、設置された請求項１または請求項２の収納家具。
【発明の詳細な説明】
【技術分野】
【０００１】
本発明は、蓄光材が配置された透光性棚板が設けられた収納家具に関する。
【背景技術】
【０００２】
蓄光材が設けられた家具としては、たとえば下記特許文献１に、キッチンキャビネットの天板、幕板の前面に、蓄光標識（暗所で残光を発する蓄光剤を含む帯状のもの）を設けたものが知られており、暗所で蓄光標識によってキッチンキャビネットの各部材の見切りが見えることが記載されている。
【先行技術文献】
【特許文献】
【０００３】
【特許文献１】特開２００７-１１７２４４号公報
【発明の概要】
【発明が解決しようとする課題】
【０００４】
しかしながら、この蓄光材が設けられた家具は、暗所で家具の位置が確認できるだけであって、蓄光材の光を利用して、収納されている物品を確認して取り出すことができない。また、収納されている物を取り出すには、部屋の電灯をつけなければならず、夜中に、暗闇から突然電灯のついた状態になることによって、目がまぶしく数分間はっきりものが見えないことや、眠気が覚めてしまうことがあった。
【０００５】
したがって、本発明が解決しようとする課題は、暗所で部屋の電灯をつけなくても棚板上の載置物を取ったり置いたりできる収納家具を提供することである。
【課題を解決するための手段】
【０００６】
上記の課題を解決するため、請求項１に関わる本発明は、棚板が設けられた収納家具であって、左右端部が支持された透光性棚板を有しており、透光性棚板の前方木口面を除いた少なくとも１つの木口面に蓄光材が配置されていることを特徴とする。
【０００７】
上記の課題を解決するため、請求項２に関わる本発明は、請求項１記載の収納家具において、透光性棚板が嵌入する嵌入溝がある棚板受材が背板に取り付けられていることを特徴とする。
【０００８】
上記の課題を解決するため、請求項３に関わる本発明は、請求項１または２の収納家具において、ベッドサイドに設置され、透光性棚板上面における高さ方向位置が、床面から１２３ｃｍ以下の範囲に位置し、透光性棚板の反ベッド側木口面における横方向位置が、収納家具側のベッド側面から７８ｃｍ以下の範囲に位置して、設置されたことを特徴とする。
【発明の効果】
【０００９】
請求項１に係る本発明によれば、透光性棚板の前方木口面を除いた少なくとも１つの木口面に蓄光材が配置されることによって、透光性棚板の木口面や透光性棚板の上下面が光り、透光性棚板の位置が分かるので、透光性棚板の載置物を暗所でも容易に手に取ることができる。
【００１０】
請求項２に係る本発明によれば、透光性棚板が、棚板受材の嵌入溝に嵌入して設置されることによって、透光性棚板の後方木口の上下面が、嵌入溝の上下側面で支持されるので、重量物を透光性棚板の前方においたり、手で透光性棚板の前方を押さえたりしても、透光性棚板の後方が跳ね上がって脱落せず、透光性棚板上の載置物が転倒、落下しない。
【００１１】
請求項３に係る本発明によれば、収納家具がベッドサイドに設置され、透光性棚板上面における高さ方向位置が、床面から１２３ｃｍ以下の範囲に位置し、透光性棚板の反ベッド側木口面における横方向位置が、収納家具側のベッド側面から７８ｃｍ以下の範囲に位置することによって、ベッドに寝た状態で透光性棚板に手が届くので、透光性棚板上の載置物を寝たまま手にとることができる。
【図面の簡単な説明】
【００１２】
【図１】本発明における実施例１の収納家具の斜視図である。
【図２】図１における透光性棚板の部分拡大断面図である。
【図３】本発明における実施例２の収納家具の斜視図である。
【図４】図３における透光性棚板、棚板受材の部分拡大断面図である。
【図５】図１の収納家具をベッドサイドに設置した状況を表した正面図である。
【図６】本発明における実施例３の収納家具の斜視図である。
【発明を実施するための最良の形態】
【００１３】
以下に実施例を挙げて本発明を詳述する。
【実施例１】
【００１４】
図１、２を参照して本発明の一実施形態による収納家具について説明する。
【００１５】
この収納家具１は天板３、左右側板５、背板６および底板４から構成される前面開放の箱体２を有し、この箱体２内に透光性棚板７が配置され、天板３と透光性棚板７の間、透光性棚板７と底板４の間にそれぞれ収納部を形成している。
【００１６】
透光性棚板７の後方木口面３４には蓄光材８が配置されている。蓄光材８は蓄光シートであり、透光性棚板７の後方木口面３４に貼着されている。
【００１７】
この収納家具１は、室内に設置される据え置き収納家具、壁に取り付けられる壁取付収納家具、壁面の厚みを利用した壁面収納家具などとして利用される。
【００１８】
収納家具１を構成する天板３、左右側板５、背板６および底板４は、木質繊維板、合板、木削片板、単板積層板、無垢の木材、集成材などの木材から形成されている。
【００１９】
箱体２内に配置される透光性棚板７は、ガラス板、合成樹脂板などで構成されている。透光性があって蓄光材が透光性棚板７に太陽光や蛍光灯などの光を遮断されることなく蓄光できるとともに、蓄光材８が発する光を透過するものであればよい。光エネルギーを蓄積し、蓄光材８が発する光をよく見えるようにするには、無色透明のものが好ましい。透光性棚板７の形状は、平面視方形状である。
【００２０】
蓄光材８は、蓄光シート、蓄光テープや、金属製、合成樹脂製、木製の薄板状、棒状などの部材に蓄光塗料を塗装したものや蓄光テープを貼ったもの、蓄光樹脂を薄板状、棒状などに成形したものでよい。蓄光材として蓄光塗料を、透光性棚板の木口面や、背板、側板の透光性棚板の木口に面する範囲に直接塗装してもよい。
【００２１】
蓄光シートは、蓄光顔料が練りこまれた合成樹脂シートや蓄光塗料が塗られた合成樹脂シートなどである。蓄光テープは、蓄光層と粘着層からなり、蓄光層が蓄光シートあって、その片面に粘着剤が塗布されて粘着層が形成され、テープ状にしたものである。蓄光塗料は、クリアー塗料に蓄光顔料を混合した塗料である。蓄光樹脂は、ＡＢＳ樹脂、ポリプロピレン等の合成樹脂に蓄光顔料を練りこんで薄板状、棒状などに成形したものである。
【００２２】
なお、蓄光顔料とは、太陽や蛍光灯などの光エネルギーを吸収し、蓄積して暗所で発光するものであり、硫化系、酸化系、アルミン酸塩系等、特に限定されるものではない。
【００２３】
蓄光材８の大きさは、その断面寸法が蓄光材８を取り付ける透光性棚板７の木口面の断面寸法と同じであることが好ましい。蓄光材８と透光性棚板７の断面寸法が同じであれば、透光性棚板７の前方木口面３５全面が光るので、透光性棚板７の位置が正確にわかる。厚さについては、透光性棚板７の載置スペースを大きくとるため、より薄いことがよい。
【００２４】
蓄光材８は、透光性棚板７の前方木口面３５を除いた少なくとも１つの木口面に配置されていればよい。背板６と透光性棚板７の後方木口面３４の間、側板５と透光性棚板７の側方木口面の間に配置することができる。蓄光材８は、透光性棚板７の前方木口面３５を除いた１つの木口面に配置されても、複数の木口面に配置されてもよい。
【００２５】
蓄光材８が、背板６と透光性棚板７の後方木口面３４の間、または側板５と透光性棚板７の側方木口面の間に配置される場合、２通りの取付方法がある。１つ目は、蓄光材８を背板６、または側板５に取り付ける場合であり、蓄光面の裏面側に接着剤を塗布、または、両面テープを貼り、背板、または側板５に貼着して取り付ける。
【００２６】
２つ目の方法は、蓄光材８を透光性棚板７の後方木口面３４または側方木口面に取り付ける場合であり、蓄光材８の蓄光面に無色透明の接着剤を塗布、または、透光性のある両面テープを貼り、透光性棚板７の木口面に貼着して取り付ける。
【００２７】
蓄光面に塗布される接着剤が無色透明、または貼着される両面テープが透光性を有していることによって、接着剤や両面テープで光が遮断されず、光エネルギーを蓄積することができ、蓄光材から発する光を透光性棚板７の前方木口面３５もしくは上下面で発光させることができる。
【００２８】
蓄光材８が、背板６と透光性棚板７の後方木口面３４の間、または側板５と透光性棚板の側方木口面の間に配置される場合、暗所で光を発すると、光が透光性棚板７を透過して前方木口面３５が光り、透光性棚板７の上下面からも光を放射して透光性棚板７自体が光る。
【００２９】
蓄光材８が、収納家具１の天板３の陰となる背板６と透光性棚板７の後方木口面３４の間、または側板５と透光性棚板７の側方木口面の間に配置されても、透光性棚板７の前方木口面３５および透光性棚板の上面から、太陽光や蛍光灯の光が入射するので、蓄光材８は光エネルギーを蓄積することができる。
【００３０】
蓄光材８が、背板６と透光性棚板７の後方木口面３４の間、または側板５と透光性棚板７の側方木口面の間に配置され、透光性棚板７の前方木口面３５および棚板自体が光ることによって、暗所で、透光性棚板７の位置が分かり、透光性棚板上の載置物が見えるので、透光性棚板上の載置物を手に取ることができる。
【００３１】
蓄光材８を、背板６と透光性棚板７の後方木口面３４の間、または側板５と透光性棚板７の側方木口面の間に配置することによって、蓄光材８に硬い物や鋭利な物が接触したり、人の手が触れないので、蓄光材８が外れたり、蓄光材８の蓄光面に傷がついて光エネルギーの蓄積量や発光量が減少することを防止できる。
【００３２】
収納家具１をベッドサイドに設置する際、蓄光材８を、背板６と透光性棚板７の後方木口面３４の間、または側板５と透光性棚板７の側方木口面の間に配置することによって、蓄光材８の発する光が直射しないので、睡眠を妨げられない。
【００３３】
図１に示す収納家具１の大きさは、一例として、高さ３７６ｍｍ、幅３７５ｍｍ、奥行き１２８ｍｍである。この場合において、透光性棚板７は、幅３４４ｍｍ、厚み６ｍｍ、奥行き１１７．５ｍｍである。蓄光材８は蓄光シートであり、幅６ｍｍ、長さ３４４ｍｍである。
【００３４】
図２は、透光性棚板の部分拡大断面図である。透光性棚板７は無色透明であり、蓄光シート８が、背板６と透光性棚板７の後方木口面３４の間に配置され、透光性棚板の後方木口面３４に貼着されている。透光性棚板７は左右側板５にそれぞれに取り付けられた２つのダボ１７、合計４つのダボ１７の上に配置されている。
【００３５】
透光性棚板７の寸法については、収納家具１の内部に納まるようにしても良いが、奥行き寸法を大きくして収納家具１の前方に突出するように構成してもよい。このようにすることで、物品の載置スペースを十分に確保することができ、突出した部分に物品を載置すると、手に取りやすくなる。
【００３６】
図５は、実施例１の収納家具１をベッドサイドの壁面Ｗに接して設置した状態を表した正面図である。透光性棚板７は、人がベッドに寝た状態で手が届く位置にあり、その位置を基準として、収納家具１の設置位置が決定される。透光性棚板７の位置は、透光性棚板上面１２における高さ方向位置が、床面Ｆから１２３ｃｍ以下の範囲に位置し、透光性棚板７の反ベッド側木口面１５における横方向位置が、収納家具１側のベッド側面１４から７８ｃｍ以下の範囲に位置している。
【００３７】
透光性棚板７の高さ方向位置については、透光性棚板上面１２に手が届けば、棚板上の載置物をベッドに寝た状態でとることができる。
【００３８】
透光性棚板７の横方向位置については、透光性棚板７の左右木口面のうち、ベッドから遠い位置の木口面である反ベッド側木口面１５に手が届けば、棚板上の載置物をベッドに寝た状態でとることができる。
【００３９】
透光性棚板７の高さ方向位置の範囲は、床面Ｆから、人がベッドに寝た状態で手が届く位置までの最大距離以下とした。人が寝た状態の手が届く高さとして、腕を水平前方に伸ばしたときの、背面を密着した鉛直な壁面から最も長い指の尖端までの距離「背面−指尖距離」（ＪＩＳ  Ｚ  ８５００  人間工学−設計のための基本人体測定項目に記載）とした。したがって「背面−指尖距離」は、人が寝た状態で手が届く高さ方向位置までの最大距離である。
【００４０】
「背面−指尖距離」の成人の平均値である７８ｃｍを、人が寝た状態で手が届く高さ方向までの最大距離とした。
【００４１】
ベッドの高さは、一般に立ち座りの楽な高さのベッドを選ぶことがよいとされ、ベッドの座面が低いと立つことが難しい。また、床面からベッド上面（ベッド本体に設置されたマットレスもしくは布団上面）までの高さとして、高さ３５〜６０ｃｍのベッドが一般的に提供されている。その中でも高さ４０〜４５ｃｍのベッドが、立ち座りが楽な高さといわれている。
【００４２】
本発明の透光性棚板の上面の高さは、これら一般的な高さのベッドに寝た状態で手が届く最大の高さ方向位置とした。
【００４３】
人が寝た状態で手の届く高さ方向位置までの最大距離が７８ｃｍ、ベッドの高さ４５ｃｍとすると人がベッドに寝た状態で手の届く最大距離はその合計である１２３ｃｍとなる。したがって、透光性棚板上面１２における高さ方向位置を、床面から１２３ｃｍ以下の範囲に位置させることによって、人がベッドに寝た状態で透光性棚板上１２に手が届くので、透光性棚板上の載置物を手に取ることができる。
【００４４】
透光性棚板７の最も低い高さ方向位置は、床面Ｆから透光性棚板上面１２までの距離を２５ｃｍの位置とする。２５ｃｍ未満の位置に透光性棚板上面１２が位置すると、透光性棚板上の載置物を手に取ることが難しく、また、床面Ｆの埃やゴミがまきあげられて透光性棚板上に入り込み、好ましくない。
【００４５】
透光性棚板７の高さ方向位置が、床面Ｆから透光性棚板上面１２までの距離を２５ｃｍ以上１２３ｃｍ以下の範囲に位置することによって、透光性棚板上に手が届き、床面Ｆの埃やゴミが透光性棚板上に入り込まないので、透光性棚板上の載置物を容易に手に取ることができ、透光性棚板上の載置物が汚れない。
【００４６】
透光性棚板７の横方向位置の範囲は、ベッド側面から、人がベッドの端に寝た状態で手が届く横方向位置までの最大距離以下とした。透光性棚板７の高さ方向位置と同様に、「背面−指尖距離」の成人の平均値７８ｃｍより、人がベッドの端に寝た状態で手が届く横方向位置までの最大距離を７８ｃｍとした。
【００４７】
透光性棚板７の反ベッド側木口面１５の位置を、収納家具側のベッド側面１４から７８ｃｍ以下の範囲に位置させれば、人がベッドの端に寝た状態で透光性棚板７の載置物を手に取ることができる。
【００４８】
透光性棚板７の最小の横方向位置は、収納家具側のベッド側面１４から透光性棚板の反ベッド側木口面１５までの距離１６．５ｃｍの位置とした。透光性棚板７の幅は１５ｃｍ以上あれば、携帯電話、眼鏡など小さな物品を載置できるスペースがあり、載置物を手に取りやすい。したがって、側板５の厚さ１．５ｃｍ、透光性棚板７の幅は１５ｃｍ以上とし、収納家具側のベッド側面１４から透光性棚板７の反ベッド側木口面１５までの距離は１６．５ｃｍ以上とした。
【００４９】
収納家具側のベッド側面１４から透光性棚板７の反ベッド側木口面１５までの距離が、１６．５ｃｍ未満となると、透光性棚板７の幅が１５ｃｍ未満となることによって、小さな物品を手に取ったり、透光性棚板上に物品を置きづらくなり、載置できる物品の数も少なくなる。
【００５０】
収納家具１をベッドサイドに設置する際、透光性棚板上面１２の位置を床面Ｆから高さ１２３ｃｍ以下、透光性棚板７の反ベッド側木口面１５の位置を収納家具側のベッド側面１４から７８ｃｍ以下の範囲に位置させたので、人がベッドに寝た状態で透光性棚板７上の載置物を手に取ることができ、暗所でも、透光性棚板７に配置された蓄光材８が光って位置が分かるので、透光性棚板上の載置物を手に取ることができる。
【００５１】
図５における透光性棚板７の位置は、透光性棚板７の上面の高さ方向位置が、床面Ｆから６５ｃｍ、透光性棚板７の反ベッド側木口面１５の横方向位置が、収納家具側のベッド側面１４から４５ｃｍに位置しており、収納家具１は、透光性棚板７の位置を基準に壁面Ｗに設置されている。
【００５２】
この位置は、透光性棚板上面１２の位置が床Ｆから高さ１２３ｃｍ以下、透光性棚板７の反ベッド側木口面１５の位置が収納家具側のベッド側面１４から７８ｃｍ以下の範囲に位置しているので、人がベッドに寝た状態で透光性棚板上の載置物を手に取ることができる。
【実施例２】
【００５３】
図３、４を参照して本発明の他実施形態による収納家具について説明する。
【００５４】
この収納家具１は天板３、左右側板５、背板６および底板４から構成される前面開放の箱体２を有し、背板６に棚板受材９が設置されている。棚板受材９の嵌入溝１１に透光性棚板７の後方木口が嵌入し、透光性棚板７の前方下面を左右側板５に取り付けたダボ１７で支持して配置され、天板３と透光性棚板７の間、透光性棚板７と底板４の間にそれぞれ収納部を形成している。
【００５５】
棚板受材９の嵌入溝底面１９と透光性棚板７の後方木口面３４の間には蓄光材８が配置されている。蓄光材８は、蓄光テープであり、棚板受材９の嵌入溝底面１９に貼着されている。
【００５６】
棚板受材９は、長尺の板状部材であり、透光性棚板７の後方木口が嵌入する嵌入溝１１が、棚板受材の長手方向に形成されている。棚板受材９の表面は、化粧シートで被覆されている。棚板受材９は、背板６の表面に棚板受材９を、背板６の裏面に背板受材１０を配置して、背板受材１０側からビス１８で背板６に取り付けられる。
【００５７】
棚板受材９は、木質繊維板、合板、木削片板、単板積層板、無垢の木材、集成材などの木材から形成されている。
【００５８】
棚板受材９の嵌入溝底面１９に貼着された蓄光テープ８が、暗所で光を発すると、光が透光性棚板７を透過して前方木口面３５が光り、透光性棚板７の上下面からも光を放射して透光性棚板７自体が光る。背板６に蓄光材８を貼着または蓄光塗料を塗布した場合や、透光性棚板７の後方木口面３４に蓄光材８を貼着または蓄光塗料を塗布した場合も同様である。また、側板５に蓄光材８を貼着または蓄光塗料を塗布した場合や、透光性棚板７の側方木口面に蓄光材８を貼着または蓄光塗料を塗布した場合も同様である。
【００５９】
蓄光テープ８が収納家具１の天板３の陰となる背板６側に配置されていても、透光性棚板７の前方木口面３５および透光性棚板７の上面から、太陽光や蛍光灯の光が入射するので、蓄光テープ８は光エネルギーを蓄積することができる。背板６に蓄光材８を貼着または蓄光塗料を塗布した場合や、透光性棚板７の後方木口面３４に蓄光材８を貼着または蓄光塗料を塗布した場合も同様である。また、側板５に蓄光材８を貼着または蓄光塗料を塗布した場合や透光性棚板７の側方木口面に蓄光材８を貼着または蓄光塗料を塗布した場合も同様である。
【００６０】
蓄光テープ８が背板６側に配置され、透光性棚板７の前方木口面３５および棚板自体が光ることによって、実施例１と同一の効果が得られる。
【００６１】
蓄光テープ８を棚板受材９の嵌入溝底面１９や背板６、側板５に取り付けて、透光性棚板７の後方木口面３４や側方木口面に配置することによって、実施例１と同一の効果が得られる。
【００６２】
この収納家具１の大きさは、一例として、高さ３７６ｍｍ、幅３７５ｍｍ、奥行き１２８ｍｍである。この場合において、透光性棚板７は、幅３４４ｍｍ、厚み６ｍｍ、奥行き１１４．５ｍｍである。蓄光材８は蓄光テープであり、幅６ｍｍ、長さ３４４ｍｍである。棚板受材９は、幅３４５ｍｍ、厚み６．９ｍｍ、嵌入溝幅７．０ｍｍ、嵌入溝深さ３．５ｍｍである。
【００６３】
この実施形態における収納家具１、天板３、左右側板５、背板６、底板４、透光性棚板７、蓄光材８及び透光性棚板７の位置についての説明は、実施例１において既述したので説明を省略する。
【００６４】
棚板受材９は背板６に固定され、透光性棚板７の後方木口面３４の上下面を、棚板受材９の嵌入溝１１の上下側面２０で支持するので、重量物を透光性棚板７の前方においたり、透光性棚板７の前方を手で押さえたりしても、透光性棚板７の後方が跳ね上がって脱落せず、透光性棚板上の載置物が転倒、落下しない。
【実施例３】
【００６５】
図６を参照して本発明の他実施形態による収納家具について説明する。
【００６６】
この収納家具１は天板３、左右側板５、背板６および底板４から構成される前面開放の箱体２を有し、５枚の棚板２１、２２、２３、７、２４が適当間隔を置いて配置されている。上から４段目の棚板は、透光性棚板７となっており、背板６に棚板受材９が取り付けられ、棚板受材９の嵌入溝１１に蓄光テープ８が貼着されている。天板３と棚板２１の間、棚板２１と棚板２２の間、棚板２２と棚板２３の間、棚板２３と透光性棚板７の間、透光性棚板７と棚板２４の間および棚板２４と底板４の間にそれぞれ収納部を形成している。
【００６７】
上からの１つ目、２つ目、５つ目の収納部には側板５間にパイプ２５、２６、２７、２８が架設されている。上から３段目の棚板２３には、前方木口にカウンター棚板２９が手前方向に開閉可能に設けられている。上から６つ目の収納部には左右方向に開閉可能な扉３０が設けられ、その収納部の背板６には断面コ字状金具３１が取り付けられている。
【００６８】
カウンター棚板２９、扉３０は木質繊維板、合板、木削片板、単板積層板、無垢の木材、集成材などの木材から形成されている。パイプ２５、２６、２７、２８および断面コ字状金具３１は、アルミやステンレスなどの金属材で形成してもいいし、収納家具全体としての統一感を持たせるために木製のものを使用してもよい。
【００６９】
上から１つ目の収納部のパイプ２５と２つ目の収納部のパイプと２６、２７は、棚板上に置いた物、例えば雑誌、新聞、置時計、カレンダー等の落下を防止する。また、５つ目の収納部はティッシュボックスをティッシュ取出し口が前面となるように置くと、ティッシュを取出す際、ティッシュボックスがパイプ２８に引っ掛かり、ティッシュボックスが落下せず、ティッシュを取出すことができる。
【００７０】
カウンター棚板２９は、棚板に蝶番３２で開閉自在固定されるとともに側板５にステー３３で連結されているので、カウンター棚板２９を開くとカウンター棚板上面に物をおくことができる。ベッドサイドに収納家具１が設置された場合は、ベッドに座って、薬を飲んだり、飲料を飲んだりするときに利用できる。カウンター棚板２９を閉じると、置いた物品の落下防止や目隠しとすることができる。
【００７１】
上から６つ目の収納部は、断面コ字状金具３１が背板６に取り付けられ、断面コ字状金具３１にビニール袋を引っ掛けてゴミ箱として利用できる。また扉３０が側板５に設置されているので、閉じればゴミを見えなくすることができ、開くとゴミ袋を交換することができる。
【００７２】
この収納家具１の大きさは、一例として、高さ１７６０ｍｍ、幅３７５ｍｍ、奥行き１２８ｍｍである。この場合において、棚板２１、２２、２４は幅３４５ｍｍ、厚み１５ｍｍ、奥行き１１８ｍｍである。カウンター棚板を有する棚板２３は幅３４５ｍｍ、厚み１５ｍｍ、奥行き１０２ｍｍである。カウンター棚板２９は幅３４１ｍｍ、厚み１５ｍｍ、奥行き１２０ｍｍである。透光性棚板７は、幅３４４ｍｍ、厚み６ｍｍ、奥行き１１４．５ｍｍである。棚板受材９は、幅３４５ｍｍ、厚み６．９ｍｍ、嵌入溝幅７．０ｍｍ、嵌入溝深さ３．５ｍｍである。蓄光材８は蓄光テープであり、幅６ｍｍ、長さ３４４ｍｍである。
【００７３】
この実施形態における収納家具１、天板３、左右側板５、背板６、底板４、透光性棚板７、蓄光材８及び透光性棚板７の位置についての説明は、実施例１において既述したので説明を省略する。
【産業上の利用可能性】
【００７４】
本発明は、集合住宅や一般住宅などに設置される収納家具に対して幅広く利用可能である。
【符号の説明】
【００７５】
１  収納家具
２  箱体
３  天板
４  底板
５  側板
６  背板
７  透光性棚板
８  蓄光材（蓄光シート、蓄光テープ）
９  棚板受材
１０  背板受材
１１  嵌入溝
１２  透光性棚板上面
１３  床面から透光性棚板上面までの距離
１４  収納家具側のベッド側面
１５  透光性棚板の反ベッド側木口面
１６  収納家具側のベッド側面から透光性棚板の反ベッド側木口面までの距離
Ｗ  壁面
Ｂ  ベッド
Ｆ  床面
【図１】
2012034905.tif 000003
【図２】
2012034905.tif 000004
【図３】
2012034905.tif 000005
【図４】
2012034905.tif 000006
【図５】
2012034905.tif 000007
【図６】
2012034905.tif 000008